(57)【要約】【課題】１２セグメント放送と１セグメント放送などの階層自動切替え時に、映像の表示乱れを生じないデジタル放送受信装置を提供すること。【解決手段】品質の異なる複数の階層で送信されたデジタル放送信号を受信する受信部と、受信状態を判定し前記複数の階層から適切な１階層を選択・切替え制御する階層切替え部と、選択された階層の映像信号をデコードするデコード部と、前記デコード結果を格納するフレームメモリと、前記フレームメモリの読み書きを制御するメモリ制御部と、フレームメモリから読み出された映像を表示する映像表示部、を有し、前記階層切替え部は、前記デコード部におけるピクチャまたはＧＯＰのデコード完了を待って階層を切替え、前記メモリ制御部は、階層切替え後の最初のピクチャのデコード完了までフレームメモリの更新を停止し切替え前の最終フレームを前記映像表示部に供給する。【選択図】図１
2008205553.tif 000002
【特許請求の範囲】
【請求項１】
品質の異なる複数の階層で送信されたデジタル放送信号を受信する受信部と、
受信状態を判定し前記複数の階層から適切な１階層を選択・切替え制御する階層切替え部と、
選択された階層の映像信号をデコードするデコード部と、
前記デコード結果を格納するフレームメモリと、
前記フレームメモリの読み書きを制御するメモリ制御部と、
フレームメモリから読み出された映像を表示する映像表示部、
を有することを特徴とするデジタル放送受信装置。
【請求項２】
前記階層切替え部は、前記デコード部におけるピクチャまたはＧＯＰのデコード完了を待って階層を切替えることを特徴とする請求項１記載のデジタル放送受信装置。
【請求項３】
前記メモリ制御部は、階層切替え後の最初のピクチャのデコード完了までフレームメモリの更新を停止し切替え前の最終フレームを前記映像表示部に供給することを特徴とする請求項１記載のデジタル放送受信装置。
【発明の詳細な説明】
【技術分野】
【０００１】
本発明はデジタル放送受信装置に関し、特に種々の条件によって階層の切り替えを行うための技術に関する。
【背景技術】
【０００２】
地上デジタル放送では、各放送局に割り当てられた伝送帯域を多数のセグメントに分割し、１つ以上のセグメントで構成した階層を複数同時に伝送する階層伝送による放送方式が取られている。階層伝送では、階層を構成するセグメント数が多いほど、高品質のデータを伝送できるが、自動車等の移動体での受信に弱くなる。そこで、各放送局では、セグメント数を変えた複数の階層を設定し、家庭等の固定受信向け、自動車等の移動体受信向け、あるいは携帯電話受信向けに各々サービスを提供する予定である。これに対応して、電機メーカ等では、階層伝送による地上デジタル放送に対応したデジタル放送受信装置の開発を進めている。
【０００３】
自動車等の移動体に搭載されたデジタル放送受信装置で映像を視聴する場合、移動することにより受信場所が変るため、移動体が建物等の影に入ったり、あるいは電波塔や中継局からの距離が変化したりすることでデジタル放送信号の受信レベル（電界強度）が変化する。さらに移動体の場合、天候の悪化や高速走行等によっても受信レベルが左右される。このため、移動体におけるデジタル放送受信装置では、視聴中に受信レベルが悪化し映像が途切れたり、乱れたりする場合があり、このときユーザは受信する階層を変更する操作を行わなければならない。
【０００４】
そこで、受信レベルに応じて適切に階層を切替えることにより、映像を途切れることなく視聴できるデジタル放送受信装置が考案されている（例えば特許文献１、２を参照）。
【０００５】
これらの発明によれば、受信状態が悪く映像が途切れそうな場合は受信可能な階層に切替え、逆に受信状態が良好であればより高品質な階層に切替えて視聴することができる。
【０００６】
ところが上記の方法では、受信そのものが途切れることは回避可能なものの、階層の切替え処理に伴う映像の表示乱れに関しては考慮されていない。図３に示すように、切替え時は、切替え直前の表示画像から、階層切替え（ストリーム切替え）、次にヘッダサーチ、次に最初のＩピクチャ（イントラ符号化画像）のデコードという処理を行い、次に同ピクチャの表示に至るまでの間ブラックアウト処理等が行われる。このブラックアウト期間は数十〜数百ｍｓに至るため、視聴者にとっては大きな違和感となる。
【特許文献１】特開２００３−２７４３０２号公報
【特許文献２】特開平１０−１９１２５７号公報
【発明の開示】
【発明が解決しようとする課題】
【０００７】
そこで本発明は上記の問題を鑑み、１２セグメント放送と１セグメント放送などの階層自動切替え時に、映像の表示乱れを生じないデジタル放送受信装置を提供することを目的とするものである。
【課題を解決するための手段】
【０００８】
本発明のデジタル放送受信装置は、品質の異なる複数の階層で送信されたデジタル放送信号を受信する受信部と、受信状態を判定し前記複数の階層から適切な１階層を選択・切替え制御する階層切替え部と、選択された階層の映像信号をデコードするデコード部と、前記デコード結果を格納するフレームメモリと、前記フレームメモリの読み書きを制御するメモリ制御部と、フレームメモリから読み出された映像を表示する映像表示部を備えたものである。
【０００９】
特に好ましくは、前記階層切替え部は、前記デコード部におけるピクチャまたはＧＯＰのデコード完了を待って階層を切替えるものである。
【００１０】
また、前記メモリ制御部は、階層切替え後の最初のピクチャのデコード完了までフレームメモリの更新を停止し切替え前の最終フレームを前記映像表示部に供給するものである。
【発明の効果】
【００１１】
本発明によれば、階層切替え時におけるブラックアウトを解消し、またフリーズ期間も軽減することができるため、映像品位を改善できる。
【発明を実施するための最良の形態】
【００１２】
はじめに本実施形態の構成について説明する。図１は、本発明による映像受信装置の１実施形態の構成を示したブロック図である。
【００１３】
図１において、受信部１００は視聴チャンネルの受信信号を復調し品質の異なる２つの階層（１２セグメント放送、１セグメント放送）の映像ストリームを得るとともに、現在の受信レベルを階層切替え部に通知する。階層切り替え部１５０は、受信状態を基にしてどちらの階層を視聴するかを選択・切替え制御する。デコード部２００は選択された映像ストリームのデコード処理を行い、デコードされた映像はフレームメモリ３００に格納される。映像表示部４００はフレームメモリから映像を読み出し、表示処理を行い、映像を出力する。
【００１４】
このフレームメモリは複数フレーム分の映像を格納する領域（たとえばアドレス：ＦＭ０〜ＦＭｎ）を有しており、デコード結果をどの領域に書き込むか、映像表示部に渡すフレームをどの領域から読み出すか、はメモリ制御部３５０によって制御される。本実施形態ではｎ＝３、すなわち４フレーム分の領域を有するものとし、書込み先・読出し元が互いに追越さないように、またＭＰＥＧの参照画像の出力順序を考慮してアドレスを巡回させている。
【００１５】
次に切替えシーケンスについて説明する。階層の切替えが必要と判断された際は、回層切替え部はまずデコード部に切替え要求を通知する。これに対しデコード部は、現在デコード中のＧＯＰの最終ピクチャのデコードが完了すると階層切替え部に切替え許可を通知する。以上の動作は、一般的なユーザ操作によるチャンネル切替え等は即応性が求められるのに対し、本実施想定のような階層の自動切替えでは、切替えタイミングに一定の尤度があり、効率的なタイミングで切替えれば良いためである。
【００１６】
例えば図３（切替え要求事に即座に切替えた場合）では、デコード途中Ｂ８およびデコード済Ｐ９のフレームは出力できない。これにＧＯＰ単位で切替えた場合（図２）、Ｂ８のデコード完了を待って切替えるためＢ８およびＰ９は表示可能となり、切替え時における表示画像無しの期間を最小化することができる。
【００１７】
そして、階層切替え部はデコード部から切替え許可を通知されると、受信部に階層切替えを指示し階層を切替える、と共にメモリ制御部にアドレス更新の停止を通知する。メモリ制御部は更新停止を通知されると、書込み先のフレームメモリのアドレスを固定（図２：ＦＭ２）、読出しフレームのアドレスを最終ピクチャ（図２：ＦＭ３）に固定する。
【００１８】
一方、デコード部は切替え後のストリームのヘッダサーチに入り、ヘッダを検出すると１枚目のＩピクチャのデコードを開始する。そしてデコードが完了するとメモリ制御部にデコード完了を通知する。するとメモリ制御部はアドレスの固定を解除、映像表示部に渡す映像が切替わり、階層切替え後の映像表示が開始される。
【００１９】
上記の階層切替え制御により、（１）ＧＯＰ完了タイミングで切替えるため、破棄されるフレームが無く表示画像無しの期間を短縮できる、（２）切替え後の映像が表示可能となるまで、切替え前のピクチャがフリーズ表示される、ため、映像の表示品位を改善することができる。
【産業上の利用可能性】
【００２０】
以上のように本発明は、１２セグメント放送と１セグメント放送等の階層切替え時の映像品位を改善可能であることから、車載などのデジタル放送受信装置への組込みが期待できる。
【図面の簡単な説明】
【００２１】
【図１】本発明の実施例の構成を示したブロック図
【図２】本発明による階層切替え時の映像表示処理を示した説明図
【図３】従来における階層切替え時の映像表示処理を示した説明図
【符号の説明】
【００２２】
１００    受信部
１５０    階層切り替え部
２００    デコード部
３００    フレームメモリ
３５０    メモリ制御部
４００    映像表示部
【図１】
2008205553.tif 000003
【図２】
2008205553.tif 000004
【図３】
2008205553.tif 000005